【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
複数のチャンネルから番組を有するチャンネルのサブセットを作成する方法であって、
前記複数のチャンネルを受信するステップであって、前記複数のチャンネルが、番組を有する少なくとも１つのチャンネルを含んでいる、前記複数のチャンネルを受信するステップと、
前記複数のチャンネルから所定の数のチャンネルの少なくとも一部を符号化して、前記所定の数の各チャンネルについて、対応する符号化された信号を供給するステップと、
前記対応する符号化された各信号を処理し、前記所定の数のチャンネルのうちで番組を含んでいるチャンネルを決定し、番組を有するチャンネルのサブセットを供給するステップと、
前記チャンネルのサブセットをメモリ内に記憶するステップと、
から成る、前記複数のチャンネルから番組を有するチャンネルのサブセットを作成する方法。
【請求項２】
前記サブセットのチャンネルにのみ対応するチャンネルを出力するステップを含む、請求項１記載の複数のチャンネルから番組を有するチャンネルのサブセットを作成する方法。  
【請求項３】
所定のチャンネルにおけるオーディオ信号の少なくとも一部を分析して、前記所定の数のチャンネルのうちで番組を含んでいるチャンネルを決定するステップを含む、請求項１記載の複数のチャンネルから番組を有するチャンネルのサブセットを作成する方法。
【請求項４】
前記対応する各符号化された信号が、Ｉピクチャ（イントラ・ピクチャ）または非Ｉピクチャ（非イントラ・ピクチャ）から成るグループから選択される画像を含んでいるＭＰＥＧビデオ信号である、請求項１記載の複数のチャンネルから番組を有するチャンネルのサブセットを作成する方法。
【請求項５】
前記番組を有するチャンネルのサブセットを供給するステップが、
前記ＭＰＥＧビデオ信号における非Ｉピクチャのうちの少なくとも１つにおけるビット数を計数するステップと、
前記ＭＰＥＧビデオ信号における非Ｉピクチャのうちの少なくとも１つにおける動きベクトルを分析するステップと、
前記ＭＰＥＧビデオ信号におけるＩピクチャのうちの少なくとも１つの離散コサイン係数を分析するステップと、
番組を含まない複数のチャンネルのうちの１つまたはそれ以上からサンプル画像を得て、前記サンプル画像からの情報をメモリに記憶し、前記サンプル画像からの記憶された情報と前記ＭＰＥＧビデオ信号におけるＩピクチャのうちの少なくとも１つからの情報とを比較するステップと、
から成るグループから選択されるステップのうち少なくとも１つまたはそれ以上を含む、請求項４記載の複数のチャンネルから番組を有するチャンネルのサブセットを作成する方法。
【請求項６】
前記対応する符号化された信号を供給するステップが、複数の各チャンネルの少なくとも一部を符号化し、前記複数の各チャンネルについて、対応する符号化された信号を供給するステップを含む、請求項１記載の複数のチャンネルから番組を有するチャンネルのサブセットを作成する方法。
【請求項７】
前記チャンネルのサブセットが、前記チャンネルのサブセット内のチャンネルを識別するための複数のチャンネル指標を含んでいる、請求項１記載の複数のチャンネルから番組を有するチャンネルのサブセットを作成する方法。
【請求項８】
複数のチャンネルから番組を有するチャンネルのサブセットを作成する方法であって、
前記複数のチャンネルを受信するステップであって、前記複数のチャンネルが、番組を有する少なくとも１つのチャンネルを含んでいる、前記複数のチャンネルを受信するステップと、
前記複数のチャンネルから所定の数のチャンネルの少なくとも一部を符号化して、前記所定の数の各チャンネルについて対応する符号化された信号を供給するステップと、
前記複数のチャンネルから前記所定の数のチャンネルにおける対応する符号化された信号のうちの少なくとも一つあるいはオーディオ信号の少なくとも一部を処理し、前記所定の数のチャンネルのうちで番組を含んでいるチャンネルを決定して、番組チャンネルのサブセットを供給するステップと、
前記番組チャンネルのサブセットをメモリ内に記憶するステップと、
から成る、前記複数のチャンネルから番組を有するチャンネルのサブセットを作成する方法。
【請求項９】
前記サブセットのチャンネルの番組にビデオ内容が含まれている、請求項８記載の複数のチャンネルから番組を有するチャンネルのサブセットを作成する方法。
【請求項１０】
複数のチャンネルから番組を有するチャンネルのチャンネル指標のサブセットを作成するシステムであって、
前記複数のチャンネルを受信する受信機であって、前記複数のチャンネルが、番組を有する少なくとも１つのチャンネルを含んでいる、前記複数のチャンネルを受信する受信機と、
ビデオ・プロセッサであって、前記複数のチャンネルから所定の数のチャンネルの少なくとも一部を符号化し、所定の各チャンネルについて、対応する符号化された信号を供給するようにプログラムされ、且つ前記符号化された各信号を処理し、前記所定の数のチャンネルのうちで番組を含んでいるチャンネルを決定し、チャンネル指標のサブセットを供給するようにプログラムされる、前記ビデオ・プロセッサと、
前記チャンネル指標のサブセットを記憶するメモリと、
から成る、前記複数のチャンネルから番組を有するチャンネルのチャンネル指標のサブセットを作成するシステム。
【請求項１１】
前記メモリ内に記憶されたチャンネル指標のサブセットにのみ対応するチャンネルを供給する、請求項１０記載の複数のチャンネルから番組を有するチャンネルのチャンネル指標のサブセットを作成するシステム。
【請求項１２】
前記所定の数のチャンネルにおけるオーディオ信号の少なくとも一部を分析し、前記所定の数のチャンネルにうちで、番組を含んでいるチャンネルを決定するためのオーディオ検出回路を含む、請求項１０記載の複数のチャンネルから番組を有するチャンネルのチャンネル指標のサブセットを作成するシステム。
【請求項１３】
前記符号化された各々の信号が、Ｉピクチャ（イントラ・ピクチャ）かまたは非Ｉピクチャ（非イントラ・ピクチャ）から成るグループから選択される画像を含んでいるＭＰＥＧビデオ信号である、請求項１０記載の複数のチャンネルから番組を有するチャンネルのチャンネル指標のサブセットを作成するシステム。
【請求項１４】
前記ＭＰＥＧビデオ信号における非Ｉピクチャのうちの少なくとも１つにおけるビット数を計数するステップと、
前記ＭＰＥＧビデオ信号における非Ｉピクチャのうちの少なくとも１つにおける動きベクトルを分析するステップと、
前記ＭＰＥＧビデオ信号におけるＩピクチャのうちの少なくとも１つの離散コサイン係数を分析するステップと、
番組を含まない複数のチャンネルのうちの１つまたはそれ以上からサンプル画像を得て、前記サンプル画像からの情報をメモリ内に記憶し、前記サンプル画像からの記憶された情報と前記ＭＰＥＧビデオ信号におけるＩピクチャのうちの少なくとも１つからの情報とを比較するステップと、
から成るグループから選択されるステップのうちの１つまたはそれ以上を実行するようにビデオ・プロセッサが組み込まれる、請求項１３記載の複数のチャンネルから番組を有するチャンネルのチャンネル指標のサブセットを作成するシステム。
【請求項１５】
エンコーダが、複数の各チャンネルの少なくとも一部を符号化し、前記複数の各チャンネルについて、対応する符号化された信号を供給する、請求項１０記載の複数のチャンネルから番組を有するチャンネルのチャンネル指標のサブセットを作成するシステム。
【請求項１６】
複数のチャンネルから番組を有するチャンネルのサブセットを作成するシステムであって、
前記複数のチャンネルを受信する受信機であって、前記複数のチャンネルが、ビデオ信号およびオーディオ信号を含む番組を有する少なくとも１つのチャンネルを含んでいる、前記複数のチャンネルを受信する受信機と、
前記複数のチャンネルから、所定の数のチャンネルの少なくとも一部を符号化し、対応する符号化された信号を、前記所定の数の各チャンネルについて供給するエンコーダと、
前記複数のチャンネルから前記所定の数のチャンネルにおけるオーディオ信号の少なくとも一部を処理するオーディオ検出回路と前記エンコーダのうち、少なくとも１つを使用するプロセッサであって、前記所定の数のチャンネルのうちで番組を含んでいるチャンネルを決定して、少なくともオーディオ信号および／またはビデオ信号を含んでいる番組チャンネルのサブセットを供給する前記プロセッサと、
前記番組チャンネルのサブセットを記憶するメモリと、
から成る、前記複数のチャンネルから番組を有するチャンネルのサブセットを作成するシステム。  
【請求項１７】
前記チャンネルのサブセットが、前記チャンネルのサブセットにおけるチャンネルを識別するために、複数のチャンネル指標を含んでいる、請求項１０記載の複数のチャンネルから番組を有するチャンネルのサブセットを作成するシステム。
【手続補正２】
【補正対象書類名】明細書
【補正対象項目名】発明の名称
【補正方法】変更
【補正の内容】
【発明の名称】複数のチャンネルから番組を有するチャンネルのサブセットを作成する方法、およびシステム
【手続補正３】
【補正対象書類名】明細書
【補正対象項目名】０００７
【補正方法】変更
【補正の内容】
【０００７】
１つの態様としては、符号化された各信号は、Ｉ画像（ｉｎｔｒａ  ｐｉｃｔｕｒｅ：フレーム内／フィールド内符号化画像、Ｉピクチャ、イントラ・ピクチャ）または非Ｉ画像（ｎｏｎ‐ｉｎｔｒａ  ｐｉｃｔｕｒｅ：非Ｉピクチャ、非イントラ・ピクチャ）から成るグループから選択される画像を含んでいるＭＰＥＧビデオ信号である。別の態様としては、前記処理するステップは更に、ＭＰＥＧビデオ信号の非Ｉ画像のうちの少なくとも１つにおけるビット数を計数するステップと、ＭＰＥＧビデオ信号の非Ｉ画像のうちの少なくとも１つにおける動きベクトルを分析するステップと、ＭＰＥＧビデオ信号のＩ画像のうちの少なくとも１つの離散コサイン係数を分析するステップと、番組を含まない複数のチャンネルのうちの１つまたはそれ以上からサンプル画像を得て、該サンプル画像からの情報をメモリに記憶し、そして前記サンプル画像からの記憶された情報とＭＰＥＧビデオ信号のＩ画像のうちの少なくとも１つからの情報とを比較するステップと、を含むグループから選択されるステップのうちの１つまたはそれ以上含んでいることがある。
【手続補正４】
【補正対象書類名】明細書
【補正対象項目名】０００８
【補正方法】変更
【補正の内容】
【０００８】
別の構成例では、前記符号化するステップは更に、前記複数の各チャンネルの少なくとも一部を符号化し、前記複数の各チャンネルについて対応する符号化された信号を供給するステップを含んでいる。また、本発明は、複数のチャンネルから番組を有するチャンネルのサブセット（ｓｕｂｓｅｔ：部分集合）を作成する方法に関するものであって、番組を有する少なくとも１つのチャンネルを含む複数のチャンネルを受信するステップと、前記複数のチャンネルから所定の数のチャンネルにおけるオーディオ信号の少なくとも一部を処理し、前記所定の数のチャンネルのうちで番組を含んでいるチャンネルを決定して、番組チャンネルのサブセットを供給するステップと、該番組チャンネルのサブセットをメモリに記憶するステップと、を含んでいる。このチャンネルのサブセットの番組は、ビデオ内容を含んでいることが好ましく、チャンネルのサブセットは、該サブセット内のチャンネルを識別するために、複数のチャンネル指標を含んでいることがある。